(57)【要約】【課題】  排水の流下が円滑に行われ、ごみや土砂のつまりが防止され、メンテナンスも簡単になり、かつ安価な排水管配管構造を提供する。【解決手段】  建物床下の基礎コンクリート層１３を貫通して、建物内部の排水設備からの排水を建物外部に排出する排水管配管構造であり、基礎コンクリート層１３には外側直管１５が貫設されており、外側直管１５の内部には内側直管１２が挿通されており、外側直管１５と、内側直管１２との間には、１個または２個以上の抜け止め手段１８，２０が介在されており、内側直管１２の内端には建物内部の排水設備に接続する排水管１４Ａが接続されており、内側直管１２の外端には建物外部の排水管１４Ｂが接続されている。【選択図】      図１
2013002211.tif 000002
【特許請求の範囲】
【請求項１】
建物床下の基礎コンクリート層を貫通して、建物内部の排水設備からの排水を建物外部に排出する排水管配管構造であって、
上記基礎コンクリート層には、外側直管が貫設されており、
上記外側直管の内部には内側直管が挿通されており、
上記外側直管と、上記内側直管との間には、１個または２個以上の抜け止め手段が介在されており、
上記内側直管の内端には上記建物内部の排水設備に接続する排水管が接続されており、
上記内側直管の外端には上記建物外部の排水管が接続されている
ことを特徴とする建物の排水管配管構造。
【請求項２】
上記外側直管と、上記内側直管との抜け止め手段は、
上記外側直管の内周面又は上記内側直管の外周面に周方向へ延びるように凹設されている１個または２個以上の係止溝と、
上記内側直管の外周面又は上記外側直管の内周面に突設されている１個または２個以上の係止突起と、
からなり、上記係止溝の一端は開口され、他端は閉鎖されている
請求項１に記載の建物の排水管配管構造。
【請求項３】
上記外側直管の内周面又は上記内側直管の外周面には、上記係止溝の開口されている一端に繋がる案内縁を有するように、突出部が形成されている
請求項２に記載の建物の排水管配管構造。
【請求項４】
上記係止溝は、上記外側直管の周壁を外側へ膨出させることによって形成されている
請求項２又は請求項３に記載の建物の排水管配管構造。
【請求項５】
上記外側直管と上記内側直管との抜け止め回り止め手段は、
上記外側直管の内周面又は上記内側直管の外周面に形成されている雌ねじ部と、
上記内側直管の外周面又は上記外側直管の内周面に形成され、上記雌ねじ部に螺合する雄ねじ部と、
からなる
請求項１に記載の建物の排水管配管構造。
【発明の詳細な説明】
【技術分野】
【０００１】
本発明は、建物内部の排水設備から建物外部に排水を排出する排水管配管構造に関する。
【背景技術】
【０００２】
従来の上記排水管配管構造にあっては、図７に示すように、建物２の床下基礎コンクリート層１３に外側管であるさや管１５を貫設し、上記さや管１５内に、内側管である蛇腹式の可撓管１２を挿通し、上記可撓管１２の内端と外端とには、管接続継手２６，２７を介して内側排水管２４Ａと、外側排水管２４Ｂとを接続した構成が採用されている。
【先行技術文献】
【特許文献】
【０００３】
【特許文献１】特開２００８−１５０８８９号公報
【発明の概要】
【発明が解決しようとする課題】
【０００４】
上記従来構成にあっては、外側管であるさや管１５は曲管であるから、それに対応して内側管を湾曲可能な蛇腹式の可撓管１２としているが、このように湾曲した管路にあっては、排水の流下性能が悪くなり、可撓管１２内において、ごみ、土砂等のつまりが生ずるおそれがある。
【課題を解決するための手段】
【０００５】
本発明は、上記従来の課題を解決するための手段として、建物床下の基礎コンクリート層を貫通して、建物内部の排水設備からの排水を建物外部に排出する排水管配管構造であって、上記基礎コンクリート層には、外側直管が貫設されており、上記外側直管の内部には内側直管が挿通されており、上記外側直管と、上記内側直管との間には、１個または２個以上の抜け止め回り止め手段が介在されており、上記内側直管の内端には上記建物内部の排水設備に接続する排水管が接続されており、上記内側直管の外端には上記建物外部の排水管が接続されていることを特徴とする建物の排水管配管構造を提供するものである。
例えば、上記外側直管と、上記内側直管との抜け止め回り止め手段は、上記外側直管の内周面又は上記内側直管の外周面に周方向へ延びるように凹設されている１個または２個以上の係止溝と、上記内側直管の外周面又は上記外側直管の内周面に突設されている１個または２個以上の係止突起と、からなり、上記係止溝の一端は開口され、他端は閉鎖されている構成からなるものであり、その場合は上記外側直管の内周面又は上記内側直管の外周面には、上記係止溝の開口されている一端に繋がる案内縁を有するように、突出部が形成されていることが望ましく、また上記係止溝は、上記外側直管の周壁を外側へ膨出させることによって形成されていることが望ましい。
更に上記外側直管と上記内側直管との抜け止め回り止め手段は、上記外側直管の内周面又は上記内側直管の外周面に形成されている雌ねじ部と、上記内側直管の外周面又は上記外側直管の内周面に形成され、上記雌ねじ部に螺合する雄ねじ部と、からなるものであってもよい。
【発明の効果】
【０００６】
〔作用〕
本発明にあっては、排水を建物内部から建物外部に導出するための排水管配管構造において、建物２の床下の基礎コンクリート１３に貫設される外側直管１５を直管とし、これに対応して、上記外側直管１５内部に挿通され、建物内外の排水管１４Ａが接続する内側直管１２も直管とされているので、排水の流下が円滑になり、ごみ、土砂等のつまりが生じにくい。
また可撓管の製造には複雑な成形方法が採用されるが、直管であれば、簡単な成形方法で製造出来る。
更に外側管が曲管であると、該曲管内に挿入される可撓管が、該曲管内で湾曲しやすくするために、該曲管内周と該可撓管外周との間に、ある程度の余裕をもたせることが必要であるが、本発明にあっては外側管も内側管も直管であるから、このような余裕は必要としないので、外側管の外形をその分小さくすることが出来、その分外側管貫設部分の基礎コンクリート１３の厚みを増加することが出来るので、該基礎コンクリート１３の強度が向上する。
本発明にあっては、上記外側直管１５と内側直管１２との間には、１個または２個以上の抜け止め手段が介在されており、上記内側直管１２は、上記外側直管１５に対して抜け止め、つまり軸線方向への移動を抑制されているから、該内側直管１２の内外端に、内側排水管１４Ａを接続するための管接続継手１６，１７を取り付ける作業が容易になる。
また、上記抜け止め手段を、上記外側直管１５の内周面又は上記内側直管１２の外周面に凹設されている１個または２個以上の係止溝１８と、上記内側直管の外周面又は上記外側直管１５の内周面に突設されている１個または２個以上の係止突起２０とし、該係止溝１８の一端を開口し、他端を閉鎖した構成では、上記係止突起２０，２０を上記係止溝１８，１８に嵌入し、該係止突起２０，２０を該係止溝１８，１８の閉鎖端１８Ａに当接させて抜け止めを行うが（請求項２）、上記係止溝１８，１８の開口されている一端である開口端１８Ａに繋がる案内縁１９Ａを有するように、上記外側直管１５の内周面又は上記内側直管１２の外周面に突出部１９，１９が形成されていると、上記外側直管１５内に上記内側直管１２を挿入する際、上記係止突起２０，２０が上記突出部１９の案内縁１９Ａによって上記係止溝１８の開口端１８Ａに案内されるから、上記係止突起２０，２０を上記係止溝１８に嵌入する作業が容易になる（請求項３）。
さらに上記係止溝１８を、上記外側直管１５の周壁を外側へ膨出させることによって形成すれば、該係止溝１８を形成したことによる凹凸状の段部が該外側直管１５の外周面上に形成され、該段部が基礎コンクリート１３に引っ掛かることで、該外側直管１５の該基礎コンクリート１３に対する軸線方向の位置ずれを抑制することができるようになり、例えば該外側直管１５に上記内側直管１２を挿通する際の該外側直管１５のぐらつき等を抑えられるので、上記内側直管１２の挿通作業が容易になる（請求項４）。
また上記外側直管１５の内周に雌ねじ部２１を形成し、該雌ねじ部２１に上記内側直管１２の外周に形成した雄ねじ部２２を螺合することによっても、上記内側直管１２は、外側直管１５に対して抜け止めされる（請求項５）。
【０００７】
〔効果〕
本発明では、建物の排水管配管構造において、外側管、内側管共に直管を使用するから、排水の流下が円滑に行われ、管内につまりが生じにくくなる。また直管は曲管や可撓管よりもはるかに簡単に製造されるから、安価に提供される。
【図面の簡単な説明】
【０００８】
【図１】本実施形態の配管構造を示す断面図。
【図２】（ａ），（ｂ）は外側直管を示す正面図と断面図、（ｃ）は内側直管を示す正面図。
【図３】外側直管の内周面形状を示す展開図。
【図４】別形態の外側直管の内周面形状を示す展開図。
【図５】（ａ），（ｂ）は別形態の外側直管を示す正面図と断面図
【図６】（ａ）は別形態の外側直管を示す断面図、（ｂ）は別形態の内側直管を示す正面図。
【図７】従来の配管構造を示す断面図。
【発明を実施するための形態】
【０００９】
本発明を図１〜図３に示す一実施例によって説明する。
図１に示すように、建物２の床下の基礎コンクリート１３には、さや管である外側直管１５が貫設されている。上記外側直管１５の内部には内側直管１２が挿通されている。上記内側直管１２には上記外側直管１５の内外端外出部において、管接続継手１６，１７を介して建物内排水管１４Ａと、建物外排水管１４Ｂと、がそれぞれ接続されている。
図２（ａ），（ｂ）に示すように、上記外側直管１５の内周面で所定個所には、相対して２個の係止溝１８，１８が周方向へ延びるように凹設されている。上記係止溝１８，１８は、開口された一端として開口端１８Ａと、閉鎖された他端として閉鎖端１８Ｂと、を有している。上記係止溝１８，１８の建物内部側（上流側）直近にはＶ字状の突出部１９，１９が形成されている。上記突出部１９，１９は、その両側縁が案内縁１９Ａ，１９Ａとされ、該案内縁１９Ａ，１９Ａが上記係止溝１８，１８の開口端１８Ａ，１８Ａと繋がるように、形成されている。
上記係止溝１８，１８は、上記外側直管１５の周壁を外側へ膨出させることによって形成されている。係止溝１８，１８を、外側直管１５の周壁を外側へ膨出させて形成することにより、該外側直管１５の外周面上には凹凸状の段部が形成され、該外側直管１５が基礎コンクリート１３に対して軸方向へ位置ずれしようとする際には、該段部が基礎コンクリート１３に引っ掛かり、このような位置ずれが抑制されるようになる。
また上記突出部１９，１９は、上記外側直管１５の周壁を内側へ膨出させることによって形成されており、上記係止溝１８，１８と同様に該外側直管１５の外周面上に凹凸状の段部を形成することで、該外側直管１５の基礎コンクリート１３に対する軸方向への位置ずれを抑制している。
図２（ｃ）に示すように、上記内側直管１２の外周面で所定個所には相対した２個の係止突起２０，２０が突設されている。これら係止突起２０，２０は、平面視で円形状に形成されている（図１参照）。
【００１０】
なお、上記係止溝１８，１８や上記突出部１９，１９は、上記外側直管１５の周壁を膨出させて形成することに限定されず、例えば上記外側直管１５の内周面に係止溝１８，１８を凹設したり、あるいは上記突出部１９，１９を凸設したりしてもよい。
また上記係止溝１８，１８を外側直管１５の内周面に凹設し、上記係止突起２０，２０を内側直管１２の外周面に突設することに限らず、外側直管１５の内周面に上記のような係止突起を突設し、内側直管１２の外周面に上記のような係止溝を凹設してもよい。
【００１１】
上記構成にあっては、上記基礎コンクリート１３に貫設されている上記外側直管１５内に、上流側から上記内側直管１２を挿通する。この内側直管１２の挿通作業においては、内側直管１２が直管（直線形状の管）であり、外側直管１５もまた直管であるので、通常の曲管のように引っ掛かったりすることがなく、また無理矢理に押し込んだりする必要がないので、該挿通作業が非常に簡易化される。
さらに、上記したように外側直管１５の外周面上には、係止溝１８，１８を形成したことによる凹凸状の段部が形成されており、内側直管１２の挿通時に外側直管１５が軸線方向に位置ずれしようとしても、該段部が上記基礎コンクリート１３に引っ掛かって位置ずれが防止されるので、該外側直管１５が上記基礎コンクリート１３にしっかりと固定され、挿通作業を確実に行うことができる。
また通常の曲管であれば、挿通作業での引っ掛かり等を防止するために、外側直管１５の内周面と、内側直管１２の外周面との間の隙間を広くする必要があるが、直管である外側直管１５と、内側直管１２とは、挿通作業で引っ掛かることがほぼ無いので、該隙間を小さくすることができる。その結果、外側直管１５の外径を小さくすることが出来るので、基礎コンクリート１３のかぶり厚を大きく取ることができ、該基礎コンクリート１３の強度向上を図ることができる。
【００１２】
図３は、上記外側直管１５の周壁を平面状に展開したうえで内周面から見た状態を示す展開図である。上記内側直管１２の挿通過程において、上記内側直管１２の係止突起２０は、上記外側直管１５の突出部１９の案内縁１９Ａに当接する（位置Ａ）。上記内側直管１２を更に矢印αに示すように上記外側直管１５内に挿入していくと、上記内側直管１２の係止突起２０は、上記外側直管１５の突出部１９の案内縁１９Ａによって矢印βに示す方向に案内されて、上記係止溝１８の開口端１８Ａに達する（位置Ｂ）。この状態で上記内側直管１２を矢印γに示す方向に回転させ、上記係止突起２０を上記係止溝１８の閉鎖端１８Ｂに至らしめる（位置Ｃ）。
上記突出部１９，１９は、略二等辺三角形状に形成されている。また突出部１９の底辺の長さは、上記外側直管１５の半径をｒとすれば、πｒであり、つまり上記外側直管１５の円周の長さの２分の１に設定される。従って、図３中に二点鎖線で示すように、上記係止突起２０は、上記内側直管１２を上記外側直管１５内に挿入さえすれば、該突出部１９に対して何れの位置にあっても必ず案内縁１９Ａに案内されて、上記係止溝１８の開口端１８Ａに達する。
【００１３】
上記の位置Ｃの状態で上記内側直管１２は、上記外側直管１５に対して抜け止めされており、軸線方向への移動を規制される。さらに、上記内側直管１２は上記外側直管１５に対して、所定方向（矢印γと反対方向であり、内側直管１２の挿通過程における回転方向と逆方向）への回転を規制される。従って、上記内側直管１２の上記外側直管１５に対する挿通と固定は、外側直管１５内に内側直管１２を単純に挿入し、特に目視等する必要もなく、該内側直管１２を止まるまで回転させるのみで、簡易かつ確実に行われる。
上記外側直管１５へ挿通した後の上記内側直管１２の両端には、管接続継手１６，１７を介して建物内排水管１４Ａ（上流側排水管）と建物外排水管１４Ｂ（下流側排水管）とがそれぞれ接続される（図１参照）。
これら管接続継手１６，１７の接続作業においては、内側直管１２が軸線方向への移動を規制された状態にあるので、該内側直管１２がぐらついたり、不用意に回転したりすることがないので、該接続作業が非常に行いやすい。また内側直管１２が挿通され、固定されている外側直管１５もまた、上記係止溝１８，１８の形成による凹凸状の段部によって上記基礎コンクリート１３にしっかりと固定されているので、管接続継手１６，１７の接続作業を確実に行うことができる。
【００１４】
上記構成において、直管である外側直管１５と、内側直管１２とは、例えば押出成形やブロー成形等といった非常に簡単な成形方法で成形することができ、製造コストや部品コスト等を安価なものとすることができる。
また通常の曲管であれば、流下性能が湾曲部分で低下してしまうので、詰まり等の原因となってしまうが、直管である内側直管１２は、流下性能が非常に優れているので、詰まり等の不具合が生じにくい。
さらに、上記構成は、非常に簡易な構成でありながら、流下性能に優れるので、維持管理性に優れたものとなる。
【００１５】
本発明は、上記した構成に限定されるものではなく、以下のように変更してよい。
図４、図５（ａ），（ｂ）に示すように、上記突出部１９，１９を、上記外側直管１５の周方向に延びる直線状のものとしてもよい。この場合、上記内側直管１２を矢印αに示すように上記外側直管１５内に挿入していくと、上記内側直管１２の係止突起２０が、上記外側直管１５の突出部１９の案内縁１９Ａに当接し（位置Ａ）、上記内側直管１２の挿入が一旦止まる。この状態から上記内側直管１２を矢印βに示す方向に回転させつつ、矢印γに示すように上記外側直管１５内に押し込んでいくと、上記内側直管１２の係止突起２０が上記係止溝１８の開口端１８Ａに達して（位置Ｂ）、上記内側直管１２の挿入が再び止まる。この状態で上記内側直管１２を矢印δに示す方向に回転させ、上記係止突起２０を上記係止溝１８の閉鎖端１８Ｂに至らしめる（位置Ｃ）と、該内側直管１２の軸線方向への移動規制がなされる。
図６に示すように、上記外側直管１５の内周面上に雌ねじ部２１を設け、上記内側直管１２の外周面上に該雌ねじ部２１と螺合する雄ねじ部２２を設けてもよい。このように、上記外側直管１５に上記内側直管１２を螺入し、雌ねじ部２１に雄ねじ部２２を螺合する構成としても、上記内側直管１２は、上記外側直管１５に対して軸線方向への移動を規制される。
【産業上の利用可能性】
【００１６】
本発明の排水管配管構造にあっては、排水の流下が円滑に行われ、ごみや土砂のつまりが防止されるから、メンテナンスも簡単になり、かつ直管を使用するから安価に提供出来るから、産業上の利用可能性がある。
【符号の説明】
【００１７】
１２    内側直管
１５    外側直管
１８    係止溝
１９    突出部
１９Ａ  案内縁
２０    係止突起
【図１】
2013002211.tif 000003
【図２】
2013002211.tif 000004
【図３】
2013002211.tif 000005
【図４】
2013002211.tif 000006
【図５】
2013002211.tif 000007
【図６】
2013002211.tif 000008
【図７】
2013002211.tif 000009